(57)【要約】【課題】掃き出し窓部分に設置しても採光や通風を妨げることなく、かつ、布団乾燥機能を有する暖房用ラジエータを提供する。【解決手段】暖房時においては、手動で全てのフィン５ｂを背面（壁面又は窓面）に対して直角方向に回動させる。これにより、温水ラジエータ１を掃き出し窓又は嵌め込み窓の前面に設置しても、採光を妨げることなく使用可能となる。また、布団乾燥時においては、全てのフィン５ｂを暖房時の位置に対して９０度回動させ、壁面又は窓面と平行に配置させる。なお回動を可能とするため、隣接する温水パイプ間距離ｄ０、温水パイプ４の中心からフィン５ｂ先端までの距離（回動半径）をｒ１として、２・ｒ１＜ｄ０  となるように、パイプ間隔及びフィン幅が設定されている。【選択図】図４
2011058648.tif 000002
【特許請求の範囲】
【請求項１】
内部を高温流体が流れる放熱パイプ群を並列に配置した暖房用ラジエータであって、
該放熱パイプに装着される放熱促進体を、さらに備え、
該放熱促進体は、該放熱パイプ表面に密接して嵌合する嵌合部と、該嵌合部の長手方向両端に付設される放熱フィン部と、を備え、かつ、該放熱パイプ表面に沿って回動自在に構成され、
て成ることを特徴とする暖房用ラジエータ。
【請求項２】
前記放熱促進体の前記嵌合部は、薄肉円筒を前記放熱パイプの中心軸に平行な面で切断した形状に構成され、かつ、
前記放熱フィンは、前記嵌合部の長手方向両端の該切断面上に配置するように付設され、
て成ることを特徴とする請求項１に記載の暖房用ラジエータ。
【請求項３】
前記放熱促進体は、前記嵌合部の背面側に第二の放熱フィンを、さらに備えたことを特徴とする請求項１又は２に記載の暖房用ラジエータ。
【請求項４】
前記放熱促進体を、並列に配置された前記放熱パイプ群の隔列に装着して成ることを特徴とする請求項３に記載の暖房用ラジエータ。
【発明の詳細な説明】
【技術分野】
【０００１】
本発明は暖房用ラジエータに係り、特に布団乾燥機能を兼ね備えた暖房用ラジエータに関する。
【背景技術】
【０００２】
近年、住宅における採光性、通風性の向上を図るため、窓（開口部）を大きくとる傾向にあり、この場合の冬期におけるコールドドラフトや結露防止として、ペリメータ輻射式暖房である暖房用ラジエータが注目されている。
暖房用ラジエータの熱源としては温水、オイル、電気等が用いられている。また、放熱部のタイプとしては、パネル式や並列パイプ式が多く用いられており、特にパネルヒータについては、トイレ等の比較的狭い空間の暖房に適した機器が提案されている（例えば特許文献１）。特許文献１による温水パネルヒータ１００は、図１１に示すように、熱源機から供給される温水が内部を通過する蛇行形状の温水管路１０１を、放熱部として機能する表裏２枚の熱伝導性パネル１０２、１０３で挟んで固定することにより構成されている。
パネルヒータを、壁面や腰高窓の直下に設置する場合には特に問題はないが、掃き出し窓部分に設置した場合、採光、通風を妨げることとなる。これに対して、パイプ群を一定間隔で並列配置し内部に温水を通過させる並列パイプ式は、隣接パイプ間に空間が形成されるため採光性の問題がなく、掃き出し窓部分にも設置可能である。
【先行技術文献】
【特許文献】
【０００３】
【特許文献１】特開２００５−７７０７０号公報
【発明の開示】
【発明が解決しようとする課題】
【０００４】
一方、住宅における布団乾燥については、ベランダなどを利用するいわゆる天日干しが一般的であるが、専用の布団乾燥機も商品化されている。天日干しは天気の良い日に限られ、また、部屋からベランダまで布団を運ぶのに大きな労力を要するケースがある。また、布団乾燥機については収納場所を要し、さらにセッティング及び収納に時間が掛かる等、利便性に欠けるという問題がある。そこで、天気に左右されず、かつ、必要な時に簡単に布団乾燥可能な装置として、暖房用ラジエータの利用が有効な手段として考えられる。
しかしながら、並列パイプ式の場合、上述のように採光性については問題ないものの、放熱面と布団との接触面が小さいため乾燥までに時間が掛かるという問題がある。これに対して、パネル式については放熱面と布団との接触面を大きくとれるという利点があるが、採光性に問題がある。このように、布団乾燥機能に関して両方式には一長一短があり、採光性確保と乾燥性能を両立させる暖房用ラジエータはこれまで提案されていない。
【課題を解決するための手段】
【０００５】
本発明は上記課題を解決するものであって、掃き出し窓部分に設置しても採光や通風を妨げることなく、かつ、布団乾燥機能を有する暖房用ラジエータを提供するものである。
本発明は以下の内容をその要旨とする。すなわち、本発明に係る暖房用ラジエータは、
（１）内部を高温流体が流れる放熱パイプ群を並列に配置した暖房用ラジエータであって、該放熱パイプに装着される放熱促進体を、さらに備え、該放熱促進体は、該放熱パイプ表面に密接して嵌合する嵌合部と、該嵌合部の長手方向両端に付設される放熱フィン部と、を備え、かつ、該放熱パイプ表面に沿って回動自在に構成され、て成ることを特徴とする。
（２）上記発明において、前記放熱促進体の前記嵌合部は、薄肉円筒を前記放熱パイプの中心軸に平行な面で切断した形状に構成され、かつ、前記放熱フィンは、前記嵌合部の長手方向両端の該切断面上に配置するように付設され、て成ることを特徴とする。
（３）上記各発明において、前記放熱促進体は、前記嵌合部の背面側に第二の放熱フィンを、さらに備えたことを特徴とする。
（４）上記（３）において、前記放熱促進体を、並列に配置された前記放熱パイプ群の隔列（一列置き）に装着して成ることを特徴とする。
【発明の効果】
【０００６】
上記各発明によれば、採光性、通風性を妨げないため、掃き出し窓や、近年、住宅メーカ等により多く提案されているはめ込み窓際にも、輻射式暖房である暖房用ラジエータの設置が可能となる。これにより、冬期における窓際のコールドドラフトや結露を防止することができるという効果がある。
また、本発明による暖房用ラジエータにより布団乾燥が可能となるため、専用の布団乾燥機を用いる場合と比較して収納場所を必要とせず、また、セッティングや収納の手間も掛からないという利点がある。
また、本発明による暖房用ラジエータを窓際に設置した場合、太陽光・熱とパイプ放熱により、布団を内外両面から同時乾燥可能となり、乾燥時間の短縮及び省エネ性に寄与するという効果がある。
また、従来、冬季以外には用途がなかった暖房用ラジエータについて、通年で有効利用可能になるという効果がある。
【図面の簡単な説明】
【０００７】
【図１】第一の実施形態に係る温水ラジエータ１の全体構成（暖房時態様）を示す図である。
【図２】放熱促進体５の詳細構成を示す図である。
【図３】温水ラジエータ１の布団乾燥時の態様を示す図である。
【図４】放熱促進体５の暖房時及び布団乾燥時における位置関係を比較した図である。
【図５】第一の実施形態に放熱促進体５の他のバリエーションを示す図である。
【図６】第二の実施形態に係る放熱促進体２１の詳細構成を示す図である。
【図７】放熱促進体２１の暖房時及び布団乾燥時における位置関係を比較した図である。
【図８】温水ラジエータ２０の布団乾燥時の態様を示す図である。
【図９】第三の実施形態に係る放熱促進体３１の詳細構成を示す図である。
【図１０】放熱促進体３１の暖房時及び布団乾燥時における位置関係を比較した図である。
【図１１】従来の温水パネルヒータ１００の構成を示す図である。
【発明を実施するための最良の形態】
【０００８】
以下、本発明に係る暖房用ラジエータの一態様である、温水ラジエータの実施形態について、図１乃至１０を参照してさらに詳細に説明する。重複説明を避けるため、各図において同一構成には同一符号を用いて示している。なお、本発明の範囲は特許請求の範囲記載のものであって、以下の実施形態に限定されないことはいうまでもない。
【０００９】
（第一の実施形態）
図１を参照して、温水ラジエータ１は、下ヘッダー２と、上ヘッダー３と、両ヘッダー間に並列に配置される複数の温水パイプ４と、を備えたラジエータ本体１ａと、各温水パイプ４の表面に回動自在に嵌めこまれる放熱促進体５と、を主要構成とする。長手方向両端の温水パイプ４の下側には、最下端に床固定板７ａを有する脚部７が取り付けられており、床固定板７ａを床面にビス固定することにより、温水ラジエータ１を自立可能としている。温水パイプ４と各ヘッダーの接合部４ｃ、４ｄの内部には温水流路孔（図示せず）が設けられており、温水パイプ４と下ヘッダー２又は上ヘッダー３間の温水の流入、流出を可能とするように構成されている。下ヘッダー２の一端側には、温水配管（図示せず）との接続部６が設けられており、温水配管を介して熱源機（図示せず）と温水ラジエータ１間の温水循環を可能としている。接続部６にはバルブ６ａが設けられており、温水ラジエータ１内の温水の循環・停止を制御可能に構成されている。なお、接続部にバルブを持つことなく、熱源機側の制御弁により制御する形態としてもよい。
下ヘッダー２及び上ヘッダー３内部の流路区画により、同図手前側の温水パイプ群（全本数の約１／３）については下ヘッダー２から上ヘッダー３側に、奥側の温水パイプ群（残りの本数）については上ヘッダー３から下ヘッダー２側に温水が通過するように構成されている。
【００１０】
図２（ａ）を参照して、放熱促進体５は、断面馬蹄形のパイプ嵌合部５ａの長手方向両端にフィン５ｂが末広がり状に付設された形状を備えている。放熱促進体５の材質としては、熱伝導率の高い、例えばアルミニウム、銅等を用いることができる。同図（ｂ）を参照して、放熱促進体５は長手方向両端部を拡げて温水パイプ４外表面に嵌め込み、その状態でパイプ嵌合部５ａの内側方向への復元力により、温水パイプ４を嵌合し、かつ、パイプ表面に沿って回動可能に構成されている。さらに、パイプ嵌合部５ａの内面側は温水パイプ４の外表面に密接し、これにより温水パイプ４と放熱促進体５間の熱伝導を確保されている。
左右のフィン５ｂは同図（ｃ）に示すように、嵌合状態において嵌合部５ａ長手方向両端及びパイプ中心軸ｘ−ｘ’ を含む切断面Ｐ上に配置されるように付設されている。温水パイプ４の上端及び下端近傍にはストッパー４ａ、４ｂが設けられており、放熱促進体５の上下方向へのずれ動きを抑止している。フィン５ｂの幅ｒ１’は、後述のように隣接するフィン同士が回動時に接触しない限度で最大長さに設定されている。
【００１１】
温水ラジエータ１は以上のように構成されており、次に温水ラジエータ１の暖房時及び布団乾燥時の使用態様について説明する。
暖房時においては、図１、図４（ａ）を参照して、手動で全てのフィン５ｂを背面（壁面又は窓面）に対して直角方向に回動させる。これにより、温水ラジエータ１を掃き出し窓又は嵌め込み窓の前面に設置しても、採光を妨げることなく使用可能となる。
また、布団乾燥時においては、図３、図４（ｂ）を参照して、全てのフィン５ｂを暖房時の位置に対して９０度回動させ、壁面又は窓面と平行に配置させる。なお回動を可能とするため、隣接する温水パイプ間距離ｄ０、温水パイプ４の中心からフィン５ｂ先端までの距離（回動半径）をｒ１として、２・ｒ１＜ｄ０  となるように、パイプ間隔ｄ０及びフィン幅ｄ１が設定されている。
【００１２】
なお、本実施形態ではパイプ嵌合部５ａの断面形状が嵌合状態において半円形となる例を示したが、パイプ間隔に余裕があれば、図５の放熱促進体９に示すように、パイプ中心軸と平行な切断面Ｐ‘上にフィン９ｂが位置するようにし、断面形状をより円形に近い形状にすることもできる。これにより、フィン幅ｄ１’をさらに大きくすることができ、放熱性能がさらに向上する。
また、本実施形態では放熱促進体を手動で個々に回動させる例を示したが、リンク機構を用いて各放熱促進体を連動させ、手動又は電動で同時に回動させる形態とすることもできる。以下の実施形態についても同様である。
さらに、放熱促進体からの輻射放熱のみの例を示したが、下ヘッダー近傍にファンを付設し、対流放熱併用により乾燥促進を図る形態とすることもできる。
【００１３】
（第二の実施形態）
次に図６〜図８を参照して、本発明の他の実施形態について説明する。
本実施に係る温水ラジエータ２０の本体部分の構成については、上述の温水ラジエータ１と同一であるので重複説明を省略する。両者の相違点は、放熱促進体のフィン形状である。すなわち図６を参照して、本実施形態に係る放熱促進体２１は、パイプ嵌合部２１ａの長手方向両端に付設の放熱フィン２１ｂに加えて、背面側にも放熱フィン２１ｃを備えている。さらに、温水ラジエータ１の放熱促進体５は、パイプに嵌め込んだ状態でパイプ嵌合部５ａの断面が半円形状であるのに対して、放熱促進体２１ではより円形に近い形状となる。
【００１４】
このような構成により、図７を参照して放熱促進体２１を用いた温水ラジエータ２０については、同図（ａ）に示すように、暖房時には放熱促進体５と同様のフィン回動操作により、採光性が確保される。また、布団乾燥時には、同図（ｂ）に示すように温水パイプ４の両面に放熱面を形成させることができる。これにより、さらなる乾燥性能の向上を図ることができる。なお、本実施形態においても、隣接する温水パイプ４の中心間距離ｄ０、放熱促進体２１の回動半径をｒ２とすると、２・ｒ２＜ｄ０となるようにフィン幅が設定されている。
図８を参照して、掃き出し窓２５際に設置した温水ラジエータ２０に布団２４を掛けたとき、放熱フィン２１ｂ、２１ｃが布団２４の裏面全体に亘って相対させることができるため、乾燥時間の短縮が可能となる。
【００１５】
（第三の実施形態）
さらに本発明の他の実施形態について説明する。
図９、１０を参照して、本実施形態に係る温水ラジエータ３０が上述の温水ラジエータ２０と異なる点は、温水ラジエータ３０は全ての温水パイプ４が放熱促進体３１を装着しているのではなく、隔列（一つ置き）に装着していることである。これにより、温水ラジエータ３０については、放熱促進体の装着本数を半分に減らすことができ、さらに採光・通風の確保が容易となる。
さらに、放熱促進体３１が前面及び背面にそれぞれフィン３１ｂ、３１ｃを備えている点については上述の放熱促進体２１と同様であるが、放熱促進体３１の回動半径ｒ３は放熱促進体２１の回動半径ｒ２より大きい点についても異なる。なお、ｒ３の値は、回動時に隣接する温水パイプに接触しない長さに設定されている。その他の構成については、上述の温水ラジエータと同一であるので重複説明を省略する。
【００１６】
このような構成により、温水ラジエータ３０についても、暖房時には同図（ａ）に示すように放熱促進体５と同様、採光性を確保することができる。また、布団乾燥時には同図（ｂ）に示すように、放熱促進体の装着本数が半分であるにも関わらず、第二の実施形態と同様の放熱面が確保される。
【産業上の利用可能性】
【００１７】
本発明は、布団乾燥のみならず他の被乾燥物の乾燥装置としても広く利用可能である。
【符号の説明】
【００１８】
１，２０，３０・・・・温水ラジエータ
１ａ・・・ラジエータ本体
２・・・・下ヘッダー
３・・・・上ヘッダー
４・・・・温水パイプ
５、２１、３１・・・・放熱促進体
５ａ、２１ａ，３１ａ・・・・パイプ嵌合部
５ｂ、２１ｂ、２１ｃ、３１ｂ・・・・放熱フィン
７・・・・脚部
【図１】
2011058648.tif 000003
【図２】
2011058648.tif 000004
【図３】
2011058648.tif 000005
【図４】
2011058648.tif 000006
【図５】
2011058648.tif 000007
【図６】
2011058648.tif 000008
【図７】
2011058648.tif 000009
【図８】
2011058648.tif 000010
【図９】
2011058648.tif 000011
【図１０】
2011058648.tif 000012
【図１１】
2011058648.tif 000013